(57)【特許請求の範囲】
【請求項１】
野縁と、野縁に固定された天井板と、該天井板を天井に固定するための固定部材とを備えてなる吊り天井を補強するための補強構造であって、
上記天井板と上記天井との間において、上記天井板の上方に設置された支持部材を有し、
端部分が天井板に固着された帯状部材であって、該端部分以外の部分が上記支持部材又は上記野縁に係止可能又は固着可能に設置された帯状部材を具備する
吊り天井の補強構造。
【請求項２】
帯状部材の前記端部分以外の部分が上記支持部材に係止可能又は固着可能に設置された場合において、
上記帯状部材は、繊維シートからなり、上記端部分が天井板に固着され、且つ該端部分以外の部分が上記支持部材を覆い、該帯状部材と上記天井板との間に上記支持部材が位置するように設置されている、請求項１記載の吊り天井の補強構造。
【請求項３】
更に、テープ状であり、上記天井板にその長手方向全体に渡り且つ幅方向の少なくとも一部が接着された補強シートが設けられており、上記帯状部材は、該補強シートに接着されて、該補強シートを介して上記天井板に接着されている請求項１又は２記載の吊り天井の補強構造。
【請求項４】
上記支持部材は、野縁受けであることを特徴とする請求項１〜３のいずれかに記載の吊り天井の補強構造。
【発明の詳細な説明】
【技術分野】
【０００１】
本発明は、既存の吊り天井を、簡易な施工により、天井板が落下しないように十分な耐力をもって補強することができる、吊り天井の補強構造に関するものである。
【背景技術】
【０００２】
近年、いわゆる吊り天井が鉄骨・鉄筋コンクリート構造の建物や一般住宅等で用いられている。吊り天井は、照明、空調、水回りのための空間を確保することができる他、天井の配線や配管を隠して見栄えをよくする効果もあるため重用されている。
しかしながら、吊り天井は、地震などにより落下することがあり、建物自体は崩壊しなくても吊り天井の落下により、居住者が怪我を負う事故が発生していた。
そこで、吊り天井の耐震性を向上させた吊り天井の構造が種々提案されている。例えば、特許文献１には、補強工事が簡易化でき、費用が廉価で済み、耐震補強によって天井の固有周期を大幅に短周期化することがない天井の耐震補強構造が提案されている。具体的には、建物躯体から先端部にハンガーを備えた複数の吊りボルトが垂下されるとともに、部材長手方向の所定間隔位置で前記ハンガーによって掛止された野縁受けが複数並列して設けられ、前記野縁受けと直交するように複数並列して設けられた野縁が前記野縁受けとの交点においてクリップによって連結され、前記野縁に天井パネルが固定されてなる天井の耐震補強機構であって、前記天井パネルと野縁との接触部分、前記野縁とクリップとの接触部分、前記クリップと野縁受けとの接触部分及び前記野縁受けとハンガーとの接触部分に夫々、液性又は粘性状の接着剤を塗布又は注入してなる補強構造が提案されている。
また、特許文献２には、地震などで落下する天井材を水平方向の広い範囲に亘って受け止め可能にする構造が提案されている。具体的には、上部構造体の下方に配された天井材の落下を防止する天井材落下防止構造である。前記天井材が有する天井板の下方に位置しつつ前記天井板に固定された補強用面材と、前記補強用面材の下面における所定領域を囲むように前記補強用面材の下方に位置しつつ前記補強用面材に固定された補強用帯材と、前記天井板、前記補強用面材、及び前記補強用帯材を上下方向に貫通して設けられ、前記補強用帯材を前記上部構造体に連結する連結部材と、を有する構造が提案されている。
【先行技術文献】
【特許文献】
【０００３】
【特許文献１】特開２０１２−１２９１２号公報
【特許文献２】特開２０１７−１７２１３８号公報
【発明の概要】
【発明が解決しようとする課題】
【０００４】
しかしながら、上述の提案に係る吊り天井の補強構造では、未だ十分ではなかった。具体的には、特許文献１の提案では、既に出来上がっている吊り天井の構造体に対して、野縁と天井パネル間、又はクリップと野縁受け間に接着剤を浸透させにくく、耐力の補強程度において不十分であった。
また、特許文献２の提案では、天井板下に新たに面材を固定する必要があるため、施工が煩雑であり、また天井パネルに対する補強の観点では不十分であった。
要するに、従来提案されている補強構造では、既存の吊り天井を簡易な施工により、天井板が落下しないように十分な耐力をもって補強するものではなく、そのような要望を満足する吊り天井の補強構造については未だ提案されていないのが現状である。【０００５】
したがって、本発明の目的は、既存の吊り天井を、簡易な施工により、天井板が落下しないように十分な耐力をもって補強することができる、吊り天井の補強構造を提供することにある。
【課題を解決するための手段】
【０００６】
本発明者らは、上記課題を解消すべく鋭意検討した結果、天井板の落下を防止するために野縁受けに繊維シートを引っかける構造を採用することにより上記目的を達成し得ることを知見し、更に検討を行い、本発明を完成するに至った。
すなわち、本発明は以下の各発明を提供するものである。
１．野縁と、野縁に固定された天井板と、該天井板を天井に固定するための固定部材とを備えてなる吊り天井を補強するための補強構造であって、
上記天井板と上記天井との間において、上記天井板の上方に設置された支持部材を有し、
端部分が天井板に固着された帯状部材であって、該端部分以外の部分が上記支持部材又は上記野縁に係り止め可能に設置された帯状部材を具備する
吊り天井の補強構造。
２． 上記帯状部材は、繊維シートからなり、両端部分が天井板に固着され、その中央部分が上記支持部材を覆い、該中央部分と上記天井板との間に上記支持部材が位置するように設置されている、１記載の吊り天井の補強構造。
３． 更に、上記天井板に全長を接着された補強シートが設けられており、上記帯状部材は、該補強シートに接着されて、該補強シートを介して上記天井板に接着されている１又は２記載の吊り天井の補強構造。
４．上記中央部分は上記支持部材に隙間なく当接して設けられている１〜３のいずれかに記載の吊り天井の補強構造。
５． 上記支持部材は、野縁受けであることを特徴とする１〜４のいずれかに記載の吊り天井の補強構造。
【発明の効果】
【０００７】
本発明の吊り天井の補強構造は、既存の吊り天井を、簡易な施工により、天井板が落下しないように十分な耐力をもって補強することができるものである。
【図面の簡単な説明】
【０００８】
【図１】図１は、本発明の吊り天井の補強構造の全体構成を示す斜視図である。
【図２】図２は、図１のII−II断面図である。
【図３】図３は、図１に示す補強構造の作用を模式的に示す図２相当図である。
【図４】図４は、他の実施形態の補強構造を模式的に示す図２相当図である。
【図５】図５は、他の実施形態の補強構造の作用を模式的に示す図２相当図である。
【図６】図６は、他の実施形態の補強構造の作用を模式的に示す図２相当図である。
【符号の説明】
【０００９】
１  補強構造、１０  シャフト、２０  野縁受け、３０  野縁、４０  石膏ボード、５０帯状部材、５１  端部分、５３  中央部分、６０  補強シート
【発明を実施するための形態】
【００１０】
以下、本発明をさらに詳細に説明する。
本発明の吊り天井の補強構造１は、野縁３０と、野縁３０に固定された天井板としての石膏ボード４０と、石膏ボード４０天井板を天井に固定するための固定部材としてのシャフト１０とを備えてなる。
そして、補強構造１は、石膏ボード４０と天井との間において、石膏ボード４０と平行な方向に向けて設置された支持部材として野縁受け２０を有し、端部分５１が石膏ボード４０に固着され、端部分５１以外の部分である中央部分５３が野縁受け２０に係り止め可能に設置された帯状部材５０を具備する。
以下、更に詳細に説明する。
【００１１】
〔吊り天井の基本構造〕
本実施形態における吊り天井の構造は、図示しない天井から懸架されたシャフト１０、シャフトの先端（下端）のねじ切り部１１にナットを羅合することにより固定された、Ｃ型鋼からなる野縁受け２０、野縁受けに締結部材（図示せず、本実施形態においてはクリップ）により固定された野縁３０、野縁に締結部材（図示せず、本実施形態においてはネジ）を介して固定された石膏ボード４０とからなる。シャフト１０は天井から鉛直方向下方に向けて設置されており、野縁３０は野縁受け２０の下方において野縁受け２０の垂直方向に、重ねられて設置されており、野縁と野縁受けとで格子状を形成している。このような構造は公知の吊り天井構造と同じである。
（支持部材）
本実施形態において、支持部材は野縁受け２０であるが、野縁３０以外の部材であればよい。これは、野縁３０は、野縁受け２０を介して天井に固定されることになるが、そもそも野縁受け２０もシャフト１０を介して天井に固定されており、天井への固定強度の点から野縁３０は耐力が最も低いと考えられるためである。この点からは、天井に直接固定されているシャフト１０等が好ましいが、施工の容易さと耐力との両方を満足する点からは野縁受け２０が支持部材として最も好ましい。
【００１２】
〔帯状部材及び補強シート〕
本実施形態の帯状部材は、図１及び２に示すように、両端部分５１，５１が石膏ボード４０に接着され、中央部分５３が野縁受け２０を覆い、中央部分５３と石膏ボード４０との間に野縁受け２０が位置するように設置されている。また、本実施形態においては、更に、石膏ボード４０に全面を接着された補強シート６０が設けられており、帯状部材５０は、補強シート６０に接着されて、補強シート６０を介して石膏ボード４０に接着されている。
帯状部材５０は長方形状であり、その長さは野縁受け２０を跨いで設置できる程度の長さを有していればよい。また、幅は用いる構成材に応じて任意であるが、十分な耐力を発揮する上では４ｃｍ以上とするのが好ましい。
端部分５１の長さは、十分な接着強度を発揮できれば特に制限されず、石膏ボード４０の重さ（天井板の種類や重さ）に応じて種々の長さを採用することができ、例えば大規模ホールの天井板として採用される重厚な石膏ボード等においては５ｃｍ以上となるように長さを設定するのが好ましい。
中央部分５３の長さは、野縁受け２０の上面を覆って配することができる長さがあればよいが、図２に示すように、野縁受け２０の上面に中央部分５３が隙間なく当接するように長さを調整するのが好ましい。このように配することにより、地震による揺れに即時に帯状部材５０が対応して石膏ボート４０の落下を防止することができる。この際、あまり緩く設置すると石膏ボード４０と野縁３０との接続が外れてから帯状部材５０により石膏ボード４０が野縁受け２０に引っかかる状態となり、余計な力が帯状部材５０にかかる、また各石膏ボード４０間に隙間が生じて石膏ボード以外の吊り天井の部品が落下する危険性が生じる可能性がある。
補強シート６０は、帯状部材５０と同じ幅を有する長方形状であり、帯状部材が撓んでいない分その長さが短い。また全面が接着剤により石膏ボードに接着されている。
（構成材）
帯状部材と補強シートとは同じ材料により構成されている。この際用いる材料は、用いる天井板の種類や重さに応じて任意であるが、特に大規模ホール等に用いられる重厚な石膏ボード等にも十分に耐えうる耐力を発揮する点からは、強度と接着剤の浸透性との両方を満足する繊維シートが好ましい。上記繊維シートとしては、高強度でかつ低伸度の繊維、例えばビニロン、ポリエステル、又は高分子量ポリエチレンなどの繊維を用い、２軸又は３軸以上で織り込んで形成された織布からなる繊維シートを用いることができる。たとえば、ビニロン２軸シートである商品名「アルファＶシート」アルファ工業社製等の市販品を用いることができる。
（接着剤）
接着剤は、天井板として用いられる石膏ボードやケイ酸カルシウム板等への接着性に優れたものであれば特に制限なく用いることができるが、特に大規模ホール等に用いられる重厚な石膏ボード等にも十分に耐えうる耐力を発揮する点からは、帯状部材や補強シートへの浸透性にも優れたものであるのが好ましい。具体的には、エポキシ系の接着剤、アクリル系の接着剤、シリコーン系の接着剤等を用いることができる。具体的には、商品名「アルファテック５４０Ｖ」、商品名「アルファテック３８０」いずれもアルファ工業社製、等の市販品を用いることができる。
上述のように、織布からなる繊維シートを用いてなる帯状部材及び補強シートと上記接着剤とを組み合わせて用いることで、帯状部材及び補強シートにおける繊維シートの織り構造に形成される繊維間の隙間に接着剤が入り込み、石膏ボードと帯状部材とを強固に固着させることが可能となる。特に、補強シートを介して帯状部材と石膏ボードとを接着させることにより、接着剤が帯状部材により浸透して、より強固に固着されることになり、高い補強効果が得られる。
【００１３】
〔補強構造〕
本実施形態の補強構造においては、補強シート６０の全面が石膏ボード４０に接着されており、補強シート６０に帯状部材５０の両端部分５１，５１が接着されている。これにより帯状部材５０が補強シート６０を介して石膏ボード４０に接着されている。そして、補強シートが野縁受け２０の直下に接着されており、帯状部材５０の中央部分５３が野縁受け２０の上面に隙間なく当接している。すなわち、本発明における上記「係り止め」とは、絡まり合って係止された形態である必要はなく、帯状部材の一部が支持部材に当接して帯状部材全体が引っ掛った状態も含む概念である。
【００１４】
〔補強構造の製作、作用効果〕
本実施形態の補強構造は、既存の吊り天井に簡易に設置することができる。すなわち、まず石膏ボード４０における野縁受け２０の下に上記接着剤を用いて所定の長方形状に整えた補強シートを接着する。次いで、接着された補強シートにおける野縁受けを挟んで位置する両端部側に、所定の長方形状に整えた帯状部材５０の両側部分５１，５１を、上記接着剤を用いて接着する。この際、帯状部材５０の中央部分５３は野縁受け２０の上方に位置するようにし、図２に示すように野縁受け２０の上面に隙間なく当接するように中央部分５３の長さを調節して接着する。このように簡易な工法により設置可能である。
そして、本実施形態の補強構造１は、図３に示すように、地震などにより野縁３０と石膏ボード４０とを接続する締結部材が外れ、又は野縁３０と野縁受２０との締結部材が外れても（図３に示す状態）、帯状部材５０が野縁受け２０に引っかかった状態となり、石膏ボード４０の落下を防止することができる。さらに、石膏ボードの位置や傾きがあまり変化しないので、吊り天井を構成している部品の落下も防止することができる。このように、本実施形態の補強構造は、特に施工が簡単であるにも関わらず、十分な耐力を発揮することが可能なものであり、各石膏ボード間に隙間が生じる危険性も低く、部品の落下なども防止することが可能なものである。
【００１５】
〔他の実施形態〕
以下に，本発明の補強構造の他の実施形態について説明する。なお、以下の説明においては、上述の実施形態を同じ部分は特に説明せず、異なる部分について説明する。特に説明しない点については、上述の実施形態における説明が妥当する。
図４に示す実施形態の補強構造１０１は、帯状部材５０’の端部５１’が石膏ボード４０に接着されており、他端部５２’が折り返されて中央部分５３’に接着されて輪５５’を形成しており、この輪５５’が野縁受け２０に係止されている。この際、端部５１’の中央部分側の端部（接着端）は野縁受２０の直下に位置するのが好ましい。このような形態にて係止することも可能であり、構造物の端に位置し、図１に示す構造を形成することができない状態では有効である。
図５に示す実施形態の補強構造２０１は、帯状部材５０’’が、その端部５１’’を石膏ボード４０に接着させて係止されており、他端部５２’’が野縁受け２０に接着（接着剤を用いて固着）されている。この際、端部５１’’の中央部分側の端部（接着端）は野縁受２０の直下に位置するのが好ましい。なお、この例では接着された例を示したが、これに限定されず、アンカーを介して固着することもできる。本実施形態のように帯状部材の一部が当接していれば本発明における「係り止め」に該当する。
図６に示す実施形態の補強構造３０１は、帯状部材５０を石膏ボード４０に固着するために締結部材としてのビス３７０を用いている点で、第１の実施形態とは異なる。このように、本発明においては、帯状部材の固着は上述の接着に制限されず、各種締結部材を介して固着することが可能である。なお、図６においては、ビス３７０を端部分５１の長さ方向に渡って複数箇所設置した例をもって説明したが、より好ましくは、ビスを端部分５１における中央部分側に位置する部分にのみビスを設置する態様である。この際ビスは幅方向に向けて複数個設けることができる。このように設置することで、応力のかかる部分のみを効率よく補強して、吊り天井構造をより簡易な構成にて、より強固に補強することが可能となる。
【００１６】
なお、本発明は上述の実施形態に何ら制限されるものではなく、本発明の趣旨を逸脱しない範囲で種々変更可能である。
たとえば、天井板は石膏ボードに限定されるものではなく、板状の物であれば木材、金属等種々の物を用いることができる。
補強シートを用いずに、帯状部材を直接石膏ボードに接着しても良い。
支持部材は、野縁受けに限らず、吊りハンガー、吊り具、野縁、システム天井のチャンネル材、Ｔバー等とすることもできる。
また、上述の例では支持部材としての野縁受けに帯状部材を係止又は固着した例をもって説明したが、野縁に直接係止又は固着しても良い。
帯状部材は、支持部材を跨ぐように設置した例で説明したが、これに限らず、支持部材に固着させても良い。
【要約】
【課題】既存の吊り天井を、簡易な施工により、天井板が落下しないように十分な耐力をもって補強することができる、吊り天井の補強構造を提供すること。
【解決手段】野縁と、野縁に固定された天井板と、該天井板を天井に固定するための固定部材とを備えてなる吊り天井を補強するための補強構造であって、上記天井板と上記天井との間において、上記天井板の上方に設置された支持部材を有し、端部分が天井板に固着された帯状部材であって、該端部分以外の部分が上記支持部材又は上記野縁に係り止め可能に設置された帯状部材を具備する吊り天井の補強構造。
【選択図】図１【図１】
0006890367.tif 000002
【図２】
0006890367.tif 000003
【図３】
0006890367.tif 000004
【図４】
0006890367.tif 000005
【図５】
0006890367.tif 000006
【図６】
0006890367.tif 000007